(57)【要約】  方法は、内燃機関（１）の軸（６）について求められる回転数信号により、複数のシリンダ（２，３，４，５）を持つ内燃機関（１）の燃焼開始の検出に用いられる。回転数信号から、軸（６）の整数回転に相当する信号長を持つセグメント信号（ＳＳ）が抽出される。セグメント信号（ＳＳ）から、シリンダ（２，３，４，５）における作動状態を再現するシリンダ信号（ＺＳ１，ＺＳ２，ＺＳ３，ＺＳ４）が発生される。シリンダ信号（ＺＳ１，ＺＳ２，ＺＳ３，ＺＳ４）は、角周波数範囲にあるシリンダ周波数信号（ＦＳ１，ＦＳ２，ＦＳ３，ＦＳ４）に変換される。シリンダ周波数信号（ＦＳ１，ＦＳ２，ＦＳ３，ＦＳ４）から、少なくとも１つの所定の角周波数において、対応するシリンダ（２，３，４，５）における燃焼開始を含む信号情報が抽出される。【選択図】図１
2007520663.tif 000002
【特許請求の範囲】
【請求項１】
内燃機関（１）の軸（６）について求められる回転数信号により、複数のシリンダ（２，３，４，５）を持つ内燃機関（１）の作動開始を検出する方法であって、
軸（６）の整数回転に相当する信号長を持つ少なくとも１つのセグメント信号（ＳＳ）が回転数信号から抽出されるので、信号長により表される回転角範囲において、各シリンダ（２，３，４，５）が１回点火し、
セグメント信号（ＳＳ）から、シリンダ（２，３，４，５）の１つにおける作動状態を再現するシリンダ信号（ＺＳ１，ＺＳ２，ＺＳ３，ＺＳ４）が発生され、
シリンダ信号（ＺＳ１，ＺＳ２，ＺＳ３，ＺＳ４）が、角周波数範囲にあるシリンダ周波数信号（ＦＳ１，ＦＳ２，ＦＳ３，ＦＳ４）に変換され、
シリンダ周波数信号（ＦＳ１，ＦＳ２，ＦＳ３，ＦＳ４）から、少なくとも１つの所定の角周波数において、関連するシリンダ（２，３，４，５）における燃焼開始を含む信号情報が抽出される
内燃機関の作動情報の検出方法。
【請求項２】
セグメント信号（ＳＳ）からの部分信号の抽出によりシリンダ信号（ＺＳ１，ＺＳ２，ＺＳ３，ＺＳ４）が発生され、関係するシリンダ（２，３，４，５）が点火する回転角範囲を、部分信号が含んでいることを特徴とする、請求項１に記載の方法。
【請求項３】
燃焼開始を検出されるシリンダ（２）の作動状態が変化され、変化後に生じるセグメント信号（ＳＳ）が、このシリンダ（２）にとって重要なシリンダ信号（ＺＳ１）として利用されることを特徴とする、請求項１に記載の方法。
【請求項４】
シリンダ周波数信号（ＦＳ１，ＦＳ２，ＦＳ３，ＦＳ４）が、周波数変換特に離散ハートレイ変換又は離散フーリエ変換又はディジタル濾波により発生されることを特徴とする、請求項１に記載の方法。
【請求項５】
順次に続く少なくとも２つのセグメント信号（ＳＳ）が算術平均されることを特徴とする、先行する請求項の１つに記載の方法。
【請求項６】
回転数信号を発生するため、送信車（７）が使用され、送信車誤差の結果生じる不精確さがセグメント信号（ＳＳ）において少なくとも大幅に除去されることを特徴とする、先行する請求項の１つに記載の方法。
【請求項７】
ディジタル信号処理により、特に一層高いサンプリング周波数を持つ改善されたセグメント信号（ＳＳ＊）が発生されることを特徴とする、先行する請求項の１つに記載の方法。
【請求項８】
セグメント信号（ＳＳ）が補間法特にラグランジュ補間又はｓｉｎｃ補間を受けることを特徴とする、請求項７に記載の方法。
【請求項９】
セグメント信号（ＳＳ）が周波数変換特に離散ハートレイ変換又は離散フーリエ変換を受けることを特徴とする、請求項７に記載の方法。
【請求項１０】
燃焼開始を含む信号情報が燃焼開始の制御に使用されることを特徴とする、先行する請求項の１つに記載の方法。
【発明の詳細な説明】
【技術分野】
【０００１】  本発明は、内燃機関の軸について求められる回転数信号により、複数のシリンダを持つ内燃機関の燃焼開始を検出する方法に関する。【０００２】  特に自己点火内燃機関では、それぞれのシリンダにおける燃焼ができるだけ良い時点に行われないことがある。この望ましくない異例は、老化効果又は製造公差によって生じる。それは、結果として有害物放出の増大、燃料消費の増加又は内燃機関の同心回転の悪化を伴う。
【背景技術】
【０００３】  付加的に設けられるセンサにより燃焼開始の精確な時点を求める方法は公知である。ドイツ連邦共和国の特許出願公開第３３０２２１９号及び第１９７４９８１７号明細書には、圧力センサによりシリンダ内部空間内の圧力推移を求める方法が記載されている。更にドイツ連邦共和国の特許出願公開第２５１３２８９号明細書及び第４４１３４７３号明細書、及び特許第１９６１２１８０号明細書により、固体伝導音を内燃機関のハウジングの外側で検出する方法が開示されている。こうして測定される圧力信号及び／又は固体伝導音信号により、内燃機関の燃焼開始が推論される。公知の方法において更に必要なセンサは、著しい費用超過を意味する。
【発明の開示】
【課題が解決しようとする課題】
【０００４】  本発明の課題は、できるだけ簡単な手段で燃焼開始の検出を可能にする、最初にあげた種類の方法を提示することである。
【課題を解決するための手段】
【０００５】  この課題は請求項１の特徴によって解決される。本発明による方法は、通常付加的なセンサ装置なしですむ。この方法は、測定量として、一般にいずれにせよ求められ従って内燃機関の制御装置に既に存在する回転数信号のみに基いている。更に角周波数に変換されるシリンダ信号により精確な燃焼開始が簡単に求められる。このため費用のかかる演算は生じない。角周波数範囲への変換のため、場合によっては、いずれにせよ制御装置に存在する信号変換方法に頼ることができる。
【０００６】  本発明による方法の特別な展開は従属請求項からわかる。
【０００７】  請求項２及び３の対象は、ちょうど関係するシリンダの評価すべき情報を含むシリンダ信号を発生する有利な方法にそれぞれ関する。
【０００８】  請求項５〜９による展開は、特に角周波数範囲への変換前に行われる信号改善の有利な可能性に関する。この前に置かれる方法段階により、燃焼開始が更に一層精確に検出される。なぜならば、その場合角周波数範囲において取出し可能でこれに関して重要な信号情報も、高い精度で求めることができるからである。
【０００９】  請求項１０による展開によれば、求められる精確な燃焼開始が関係するシリンダの（再）制御に利用されることによって、内燃機関の作動性能が改善される。その場合、最初に述べた不完全さは大幅に回避される。
【００１０】  本発明の好ましい実施例、それ以外の利点及び詳細は、今から図面により詳細に説明される。明らかにするため、図面は基準に従って作成されておらず、特定の局面は概略的にのみ示されている。図面において互いに一致する部分は同じ符号を付けられている。
【発明を実施するための最良の形態】
【００１１】  図１に示す第１実施例は、４つのシリンダ２，３，４及び５を持つ特に自己点火内燃機関１の燃焼開始の検出に用いられる。しかしシリンダの数は例示的にすぎないと解すべきである。本発明による方法は、異なるシリンダ数を持つ内燃機関１にも同様に使用することができる。内燃機関１の軸６特にクランク軸には送信車７が取付けられ、周囲にわたって等間隔に分布される標識を持っている。実施例には詳細に示されていないこれらの標識は、例えば歯又は穴の形に形成することができる。送信車７に付属する例えば誘導センサの形のセンサ８は、標識の１つがちょうどセンサ８のそばを通過する時に、信号を供給する。この信号は制御装置９へ供給される。【００１２】  制御装置は、図示しない他の装置のほかに、燃焼開始を求めるのにも用いられる複数の下位装置を含んでいる。これらは回転数装置１０、平均装置１１、送信車修正装置１２、信号再構成装置１３、セグメント化装置１４、分析装置１５及び調整器１６である。下位装置は、物理的に分離して例えば別個の電子部品として、又は単一の物理装置にまとめられて、存在することができる。後者は、特に下位装置１０〜１６をプログラム技術的に実現する場合、信号プロセッサにおいて可能である。同様に混合形式も考えられる。【００１３】  燃焼開始の検出と再調整の動作が以下に詳細に説明される。センサ８から供給される時間範囲信号は、回転数装置１０において、内燃機関の制御において普通であるように回転角範囲に関する回転数信号に変換される。回転数信号は、軸６の回転角に関係して、そのつど現在存在する軸回転数又は軸回転加速度を示す。【００１４】  続いて回転数信号からシリンダ２〜５の各々がちょうど１回点火する回転角範囲を持つセグメント信号ＳＳが抽出される。実施例の場合、これは軸６の２倍の回転に相当し従って７２０°の回転角範囲を持つセグメントである。しかし内燃機関１の種類又は回転数信号の検出に使用されかつクランク軸の代わりにカム軸としても形成できる軸６の種類に応じて、セグメント信号ＳＳの回転角範囲は原則的に別の大きさを持つこともできる。【００１５】  回転数信号及びセグメント信号の検出は、現在実際に内燃機関１の各制御装置９において行われる。従って燃焼開始検出のため別個に設けられる検出手段は問題ではない。【００１６】  以下に説明される方法段階は、常に内燃機関の準定常状態の存在から出発している。【００１７】  平均装置１１、送信車修正装置１２及び信号再構成装置１３において行われる方法段階は、選択的である。これらの方法段階は、セグメント信号ＳＳの信号品質の改善に役立つ。その品質が高いほど、最終的に燃焼開始もそれだけ精確に求められる。【００１８】  平均装置１１において、２つ又はそれ以上の順次に続くセグメント信号ＳＳの算術平均値が形成される。これにより、例えば不均一な燃焼に由来する特に周期的な変動が除去される。【００１９】  機械的な製造誤差のため、送信車７に設けられる標識に不正確さが生じることがある。即ちこれらの標識は、互いに等間隔に存在しないことがある。それによりセグメント信号ＳＳに生じる不正確さは、公知の修正方法により除去される。ドイツ連邦共和国の特許出願公開���４１３３６７９号明細書、特許第４２２１８９１号明細書及び特許第１９６２２０４２号明細書に、このような修正方法が記載されている。この場合制御装置９に記憶される修正値が求められ、それに基いて回転数信号及びセグメント信号も、前記の送信車誤差を免れることができる。【００２０】  信号改善の別の可能性は、信号再構成方法の使用である。送信車７上の標識は、通常６°又は１０°の回転角間隔で存在する。しかしこれにより、軸６の回転数は、多くの使用において不精確に走査される。一層高い走査速度が存在すると、例えば静粛運転制御又は燃焼開始制御のように現在通常の使用は一層よく機能する。しかし多数の標識を持つ送信車７の使用は問題である。なぜならば、標識数の増大と共に、個々の標識の間の内側空間が減少し、それにより汚れの危険が増大するからである。起こり得る結果は個々の標識の見落としである。【００２１】  それにもかかわらず、ディジタル信号処理の特定の方法により走査速度が高められる。第１の可能性は、送信車７の走査速度により決定される走査値の間の回転角範囲における補間である。簡単な線形補間のほかに、特にラグランジュ補間又はｓｉｎｃ補間も考慮される。これに関して特に有利なラグランジュ補間は特殊な多項補間方法である。原則的に同様に使用可能な高次の補間多項式との比較は、比較的費用のかかる方程式系の解答なしで、ラグランジュ補間に利点を与える。ｓｉｎｃ補間は数学的畳込み演算に基いている。【００２２】  ラグランジュ補間及びｓｉｎｃ補間は、帯域を限定された周期的信号において、実施例では、走査定理を考慮して、セグメント信号ＳＳに精確な信号再構成を与え、それによりこれらの補間は、線形補間及び他の高度な多項補間から有利に区別される。【００２３】  走査速度を高める第２の可能性は、角周波数範囲へのセグメント信号の周波数変換である。この変換は、特に離散フーリエ変換（ＤＦＴ）又は離散ハートレイ変換（ＤＨＴ）により行われる。フーリエ変換とは異なりハートレイ変換では、純粋な実演算のみが有利に行われる。両方の変換は、内燃機関の分野で次数とも称される離散角周波数において、それぞれ１つの振幅値及び位相値を与える。セグメント信号ＳＳに対する連続再構成信号は、角周波数範囲において重要なスペクトル成分即ち振幅値及び位相値が求められている次数（角周波数）の調波部分振動の重畳により生じる。個々の調波部分振動は、それぞれ対応する振幅値及び位相値で重み付けされている。セグメント信号ＳＳの精確な再構成は、基礎となっている信号が周期的で帯域を限定されている限り、このようにして走査定理を守って可能である。【００２４】  補間方法及び周波数変換方法は、再構成されて解析関数表現の形で存在する信号を与える。これから、回転角範囲の任意の個所で、従って特に測定技術的に求められる走査個所の間でも、必要な関数値を取出すことができる。こうして１０°の初期走査速度を持つセグメント信号ＳＳから、任意に高い走査速度例えば０．１°走査を持つ修正されたセグメント信号が形成される。【００２５】  特に有利なラグランジュ補間方法及び前記の周波数変換方法（ＤＦＴ，ＤＨＴ）は、いわゆるＦＩＲフィルタ（有限インパルス応答）��して実現される。しかし原則には別の実現形式も考えられる。【００２６】  信号改善のために設けられる下位装置１１，１２及び／又は１３を通過した後、改善されたセグメント信号ＳＳ＊が存在し、シリンダ２〜５における燃焼開始についての情報を含んでいる。【００２７】  改善されたセグメント信号ＳＳ＊は、セグメント化装置１４において、全部で４つのシリンダ信号ＺＳ１，ＺＳ２，ＺＳ３及びＺＳ４に分解される。その場合各シリンダ信号ＺＳ１〜ＺＳ４は、ただ１つのシリンダにおける点火についての情報のみを含んでいる。この実施例では、シリンダ信号ＺＳ１〜ＺＳ４は、１８０°までの角度範囲を含むことができる。しかし改善されたセグメント信号ＳＳ＊から、本来の点火過程がそれぞれのシリンダ２〜５において実際に行われる角度範囲、従って特にシリンダ上死点の周りにある範囲のみを含むシリンダ信号ＺＳ１〜ＺＳ４の抽出が有利である。このために例えば約４０〜５０°の回転角範囲で充分である。【００２８】  こうして求められたシリンダ信号ＺＳ１〜ＺＳ４は分析装置１５へ供給され、この分析装置が、各シリンダ信号ＺＳ１〜ＺＳ４に対して角周波数範囲への周波数変換を行う。これは、ＤＦＴ，ＤＨＴ又は例えば可変中心周波数を持つディジタル帯域フィルタの形又はディジタルフィルタ群の形のディジタル濾波により行うことができる。角周波数へのこの変換は、シリンダ信号ＺＳ１，ＺＳ２，ＺＳ３及びＺＳ４にそれぞれ対応するシリンダ周波数信号ＦＳ１，ＦＳ２，ＦＳ３及びＦＳ４から行われる。その場合シリンダ周波数信号に対して、対応する離散角周波数においてそれぞれ振幅値及び位相値が存在する。【００２９】  これらの信号情報従って角周波数は、その対応する振幅値及び位相値のほかに、基礎となるそれぞれのシリンダ信号ＺＳ１〜ＺＳ４に含まれるシリンダ２〜５の作動状態についての情報を含んでいる。特にこれらの信号情報から、それぞれシリンダ２〜５における精確な燃焼開始も簡単にわかる。これは、例えば経験値又は前もって求められた基準値との比較により行うことができる。経験値及び／又は基準値はなるべく分析装置１５に記憶されている。同様に特に強い信号の角周波数の信号情報に頼ることもできる。このためなるべく振幅値が閾値特に３ｄＢ閾値より上にある角周波数が問題になる。信号情報、なるべくこうして求められた特別な角周波数の位相情報が、それぞれのシリンダ２〜５における燃焼開始を再現する分析装置１５の燃焼開始信号ＢＳ１，ＢＳ２，ＢＳ３及びＢＳ４として、使用可能にされる。【００３０】  燃焼開始信号ＢＳ１〜ＢＳ４は調整器１６へ供給され、少なくとも、場合によっては存在する上位の調整器限界によってなお許容できるものと格付けされる限り、調整器１６が、それぞれのシリンダ２〜５の（再）調整のため、燃焼開始について情報を使用する。（再）調整は、例えば内燃機関１の図示してない噴射ポンプにおける噴射開始の変化により行うことができる。特に調整は、負荷及び／又は回転数に関係する少なくとも１つの位相−噴射開始特性曲線図によって行うことができる。それによりシリンダ２〜５の各々に対して個々に、燃焼開始が最適の時点に設定される。これは、前述した方法のために重要な付加的なハードウェア部品を制御装置９又は内燃機関１に必要とすることなく、特に可能である。特に内燃機関１の特別な作動パラメータの付加的な検出も必要でない。燃焼開始の検出及び燃焼開始時点のシリンダ毎の再調整が、非常に安価に実現される。【００３１】  次に図２を参照して、本発明の第２実施例が説明される。同じ部分は、第１実施例におけるのと同じ符号を持っている。重要な相違は、セグメント化装置１４を、第２実施例では回転数装置１０のすぐ後に接続される変化装置１７に変換していることである。【００３２】  変化装置１７の動作は、大体において、例えば燃焼開始を現在求めようとするシリンダ２の作動状態を変化して、シリンダ２により回転数信号又はセグメント信号ＳＳに生じる信号成分が、他の３つのシリンダ３〜５の信号成分に対して著しく際立っているようにすることである。その場合セグメント信号ＳＳは、実際上現在関心のあるシリンダ２のみによって決定されている。作動状態の変化は、例えば供給される燃料量の目的に合わせた増大によって行われる。しかし別の変化も同様に可能である。【００３３】  変化されるシリンダ２によって生じる信号成分がセグメント信号ＳＳにおいて優勢であるため、第１実施例によりセグメント化装置１４において更にセグメント化する必要はない。改善されたセグメント信号ＳＳ＊は、全体としてシリンダ信号ＳＳＩとして使用される。残りの方法段階は、第１実施例と同じように、ただし重要なシリンダ２に対してのみ分析装置１５により燃焼開始信号ＢＳ１が発生されるという条件で推移する。従ってこの方法サイクルにおいて、シリンダ２のみが再調整される。残りのシリンダ２〜５に対して、これは連続して起こる。変化装置１７は、残りのシリンダ３〜５のそれぞれ１つにおいて作動状態を順次に変化する。内燃機関１がその準安定状態に達した時に初めて、変化装置１７の介入が有利に行われる。これは、回転数装置１０において求められる回転数信号又はセグメント信号ＳＳにより容易に確認される。
【図面の簡単な説明】
【００３４】
【図１】  燃焼開始検出方法の第１実施例を示す。
【図２】  第２実施例を示す。
【図１】
2007520663.tif 000003
【図２】
2007520663.tif 000004
【国際調査報告】
2007520663.tif 000005
2007520663.tif 000006
2007520663.tif 000007
2007520663.tif 000008
2007520663.tif 000009
2007520663.tif 000010